【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
低階調域に対応するｎ１ビット分の階調情報をｍ１（＜ｎ１）ビット分の階調情報に変
換し、中間階調域に対応するｎ２ビット分の階調情報をｍ２（≦ｎ２）ビット分の階調情
報に変換し、高階調域に対応するｎ３ビット分の階調情報をｍ３（＜ｎ３）ビット分の階
調情報に変換する階調域適応型の階調変換部であって、ｍ１≦ｍ２かつｍ３≦ｍ２、かつ
、ｎ１＋ｎ２＋ｎ３＞ｍ１＋ｍ２＋ｍ３を満たすように入力映像信号を階調変換する階調
変換部
を有することを特徴とする消費電力削減装置。
【請求項２】
請求項１に記載の消費電力削減装置は、
入力映像信号の平均階調レベルを算出する平均階調レベル算出部と、
算出された平均階調レベルを中間値として中間階調域の範囲を設定する階調域設定部と
を有することを特徴とする消費電力削減装置。
【請求項３】
請求項２に記載の消費電力削減装置において、
前記階調域設定部は、
平均階調レベルからｎ２ビットの半分に相等する階調値を減算した値に基づいて、低階
調域と中間階調域の境界階調値を設定し、
平均階調レベルにｎ２ビットの半分に相当する階調値を加算した値に基づいて、中間階
調域と高階調域の境界階調値を設定する
ことを特徴とする消費電力削減装置。
【請求項４】
請求項１に記載の消費電力削減装置において、
前記中間階調域は、入力映像信号が再現可能な階調数の半分に設定される
ことを特徴とする消費電力削減装置。
【請求項５】
請求項１に記載の消費電力削減装置において、
前記低階調域、中間階調域及び高階調域は、入力映像信号のジャンル情報に基づいて設
定される
ことを特徴とする消費電力削減装置。
【請求項６】
請求項１に記載の消費電力削減装置において、
前記階調変換部は、演算処理により階調変換処理を実行する
ことを特徴とする消費電力削減装置。
【請求項７】
請求項１に記載の消費電力削減装置において、
前記階調変換部は、変換テーブルを参照して階調変換処理を実行する
ことを特徴とする消費電力削減装置。
【請求項８】
請求項７に記載の消費電力削減装置において、
前記階調変換部は、入力映像信号について算出された平均階調レベルに基づいて、参照
する変換テーブルを選択する
ことを特徴とする消費電力削減装置。
【請求項９】
請求項７に記載の消費電力削減装置において、
前記階調変換部は、入力映像信号のジャンル情報に基づいて、参照する変換テーブルを
選択する
ことを特徴とする消費電力削減装置。
【請求項１０】
階調域別に異なる変換特性を適用する階調域適応型の階調変換部であって、階調変換後
における低階調域と高階調域の階調情報量がそれぞれ中間階調域の階調情報量より小さく
なるように入力映像信号を階調変換する階調変換部
を有することを特徴とする消費電力削減装置。
【請求項１１】
低階調域に対応するｎ１ビット分の階調情報をｍ１（＜ｎ１）ビット分の階調情報に変
換し、中間階調域に対応するｎ２ビット分の階調情報をｍ２（≦ｎ２）ビット分の階調情
報に変換し、高階調域に対応するｎ３ビット分の階調情報をｍ３（＜ｎ３）ビット分の階
調情報に変換する階調域適応型の階調変換部であって、ｍ１≦ｍ２かつｍ３≦ｍ２、かつ
、ｎ１＋ｎ２＋ｎ３＞ｍ１＋ｍ２＋ｍ３を満たすように入力映像信号を階調変換する階調
変換部と、
階調変換前の入力映像信号について消費電力を算出する第１の消費電力算出部と、
階調変換後の入力映像信号について消費電力を算出する第２の消費電力算出部と、
階調変換後の消費電力が階調変換前の消費電力を越えない範囲で大きくなるように、自
発光表示デバイスにおけるピーク輝度レベルの増加を指示するピーク輝度制御部と
を有することを特徴とする視認性向上装置。
【請求項１２】
請求項１１に記載の視認性向上装置において、
前記ピーク輝度制御部は、階調変換前の消費電力を階調変換後の消費電力で除算した値
に基づいてピーク輝度レベルの増加度合いを決定する
ことを特徴とする視認性向上装置。
【請求項１３】
請求項１１に記載の視認性向上装置において、
前記ピーク輝度制御部は、自発光表示デバイスのフレーム期間内の点灯時間長を定める
デューティパルス長の制御によりピーク輝度レベルを制御する
ことを特徴とする視認性向上装置。
【請求項１４】
請求項１１に記載の視認性向上装置において、
前記ピーク輝度制御部は、自発光表示デバイスの最大階調レベルを与える電源電圧の制
御によりピーク輝度レベルを制御する
ことを特徴とする視認性向上装置。
【請求項１５】
低階調域に対応するｎ１ビット分の階調情報をｍ１（＜ｎ１）ビット分の階調情報に変
換し、中間階調域に対応するｎ２ビット分の階調情報をｍ２（≦ｎ２）ビット分の階調情
報に変換し、高階調域に対応するｎ３ビット分の階調情報をｍ３（＜ｎ３）ビット分の階
調情報に変換する階調域適応型の階調変換部であって、ｍ１≦ｍ２かつｍ３≦ｍ２、かつ
、ｎ１＋ｎ２＋ｎ３＞ｍ１＋ｍ２＋ｍ３を満たすように入力映像信号を階調変換する階調
変換部と、
階調変換後の入力映像信号に対応する画像を画面上に表示する表示デバイスと
を有することを特徴とする自発光表示装置。
【請求項１６】
低階調域に対応するｎ１ビット分の階調情報をｍ１（＜ｎ１）ビット分の階調情報に変
換し、中間階調域に対応するｎ２ビット分の階調情報をｍ２（≦ｎ２）ビット分の階調情
報に変換し、高階調域に対応するｎ３ビット分の階調情報をｍ３（＜ｎ３）ビット分の階
調情報に変換する階調域適応型の階調変換部であって、ｍ１≦ｍ２かつｍ３≦ｍ２、かつ
、ｎ１＋ｎ２＋ｎ３＞ｍ１＋ｍ２＋ｍ３を満たすように入力映像信号を階調変換する階調
変換部と、
階調変換前の入力映像信号について消費電力を算出する第１の消費電力算出部と、
階調変換後の入力映像信号について消費電力を算出する第２の消費電力算出部と、
階調変換後の消費電力が階調変換前の消費電力を越えない範囲で大きくなるように、自
発光表示デバイスにおけるピーク輝度レベルの増加を指示するピーク輝度制御部と、
階調変換後の入力映像信号に対応する画像を画面上に表示する表示デバイスと
を有することを特徴とする自発光表示装置。
【請求項１７】
低階調域に対応するｎ１ビット分の階調情報をｍ１（＜ｎ１）ビット分の階調情報に変
換し、中間階調域に対応するｎ２ビット分の階調情報をｍ２（≦ｎ２）ビット分の階調情
報に変換し、高階調域に対応するｎ３ビット分の階調情報をｍ３（＜ｎ３）ビット分の階
調情報に変換する階調域適応型の階調変換部であって、ｍ１≦ｍ２かつｍ３≦ｍ２、かつ
、ｎ１＋ｎ２＋ｎ３＞ｍ１＋ｍ２＋ｍ３を満たすように入力映像信号を階調変換する階調
変換部
を有することを特徴とする画像処理装置。
【請求項１８】
低階調域に対応するｎ１ビット分の階調情報をｍ１（＜ｎ１）ビット分の階調情報に変
換し、中間階調域に対応するｎ２ビット分の階調情報をｍ２（≦ｎ２）ビット分の階調情
報に変換し、高階調域に対応するｎ３ビット分の階調情報をｍ３（＜ｎ３）ビット分の階
調情報に変換する階調域適応型の階調変換部であって、ｍ１≦ｍ２かつｍ３≦ｍ２、かつ
、ｎ１＋ｎ２＋ｎ３＞ｍ１＋ｍ２＋ｍ３を満たすように入力映像信号を階調変換する階調
変換部と、
階調変換前の入力映像信号について消費電力を算出する第１の消費電力算出部と、
階調変換後の入力映像信号について消費電力を算出する第２の消費電力算出部と、
階調変換後の消費電力が階調変換前の消費電力を越えない範囲で大きくなるように、自
発光表示デバイスにおけるピーク輝度レベルの増加を指示するピーク輝度制御部と
を有することを特徴とする画像処理装置。
【請求項１９】
低階調域に対応するｎ１ビット分の階調情報をｍ１（＜ｎ１）ビット分の階調情報に変
換し、中間階調域に対応するｎ２ビット分の階調情報をｍ２（≦ｎ２）ビット分の階調情
報に変換し、高階調域に対応するｎ３ビット分の階調情報をｍ３（＜ｎ３）ビット分の階
調情報に変換する階調域適応型の階調変換部であって、ｍ１≦ｍ２かつｍ３≦ｍ２、かつ
、ｎ１＋ｎ２＋ｎ３＞ｍ１＋ｍ２＋ｍ３を満たすように入力映像信号を階調変換する階調
変換部と、
階調変換後の入力映像信号に対応する画像を画面上に表示する表示デバイスと
を有することを特徴とする電子機器。
【請求項２０】
低階調域に対応するｎ１ビット分の階調情報をｍ１（＜ｎ１）ビット分の階調情報に変
換し、中間階調域に対応するｎ２ビット分の階調情報をｍ２（≦ｎ２）ビット分の階調情
報に変換し、高階調域に対応するｎ３ビット分の階調情報をｍ３（＜ｎ３）ビット分の階
調情報に変換する階調域適応型の階調変換部であって、ｍ１≦ｍ２かつｍ３≦ｍ２、かつ
、ｎ１＋ｎ２＋ｎ３＞ｍ１＋ｍ２＋ｍ３を満たすように入力映像信号を階調変換する階調
変換部と、
階調変換前の入力映像信号について消費電力を算出する第１の消費電力算出部と、
階調変換後の入力映像信号について消費電力を算出する第２の消費電力算出部と、
階調変換後の消費電力が階調変換前の消費電力を越えない範囲で大きくなるように、自
発光表示デバイスにおけるピーク輝度レベルの増加を指示するピーク輝度制御部と、
階調変換後の入力映像信号に対応する画像を画面上に表示する表示デバイスと
を有することを特徴とする電子機器。